(57)【要約】【課題】使用時、折畳み型携帯無線端末の筐体の開閉操作でその時に表示されていた表示内容を、そのデータの如何に関わらず、それぞれのデータ形式に応じた保存方法で保存する、またはそのようにして保存されたデータを同じく開閉操作で表示データを呼び出すことができる機能を提供することにある。【解決手段】折畳み型筐体の開閉状態を検出できる開閉検出手段と表示内容のデータ参照先を判別し、表示データの記録方式を選択するデータ種別判定手段を備え、開閉状態を検知し、その時の表示内容を記録、または読み出しを行うことで、ユーザの利便性を向上させる。【選択図】　　　図１
2004064294.tif 000002
【特許請求の範囲】
【請求項１】
第１の筐体及び第２の筐体がヒンジ部を介して回転可能に結合した携帯無線端末において、筐体開閉に応じて表示部における表示内容を保存し、保存された表示内容を筐体開閉に応じて読み出し表示することを特徴とする携帯無線端末。
【請求項２】
第１の筐体及び第２の筐体がヒンジ部を介して回転可能に結合した携帯無線端末において、筐体開閉検出器と、表示部と、前記表示部の表示内容を保存する保存手段と、筐体開閉に応じて前記表示内容を前記保存手段に保存し、保存された表示内容を読み出し、前記表示部へ表示するよう制御する制御手段とを含む携帯無線端末。
【請求項３】
前記制御手段は保存データの種別を判定するデータ種別判定部を有することを特徴とする請求項１、又は２記載の携帯無線端末。
【請求項４】
前記制御手段は、折畳み型携帯無線端末の開閉操作において、開状態あるいは、閉状態におかれている時間をある一定時間と定め、この一定時間内に閉じる、開くなど予めユーザによって設定された一連の動作が行われたときに、この状態変化を読み取り、設定されたモードに変更を行うことを特徴とする前記請求項１乃至３のいずれか１つに記載の携帯無線端末。
【請求項５】
前記制御手段は、折畳み型携帯無線端末の開閉操作において、開閉操作以外の操作も併用することで、設定されたモードに変更を行うことを特徴とする前記請求項１乃至３のいずれか１つに記載の携帯無線端末。
【請求項６】
前記制御手段は、保存を行うＷｅｂ画像の画像情報をコンテンツ記述言語に変換を行い、前記保存手段に保存することを特徴とする前記請求項２乃至５のいずれか１つに記載の携帯無線端末。
【請求項７】
前記制御手段は、保存を行うＷｅｂ画像の画像情報の参照先として、リンク先のＵＲＬを前記保存手段に保存することを特徴とする請求項６記載の携帯無線端末。
【請求項８】
前記制御手段は、保存を行うＷｅｂ画像の画像情報の中に存在するリンク先情報を前記保存手段に保存することを特徴とする請求項６記載の携帯無線端末。
【請求項９】
前記制御手段は、読み出しを行うＷｅｂ画像の画像情報の参照先ＵＲＬを表示画面に同時に表示させる手段をもつことを特徴とする請求項７記載の携帯無線端末。
【請求項１０】
前記制御手段は、読み出しを行うＷｅｂ画像の画像情報に含まれるリンク先ボタンを選択、クリックすることで、記録されているリンク先に自動的にアクセスすることを特徴とする請求項８記載の携帯無線端末。
【請求項１１】
前記データ種別判定部は、保存を行う前記表示内容のデータの参照先がＷｅｂデータ、もしくは自己携帯無線端末内の記録データであるかを判別することを特徴とする請求項３記載の携帯無線端末。
【請求項１２】
前記データ種別判定部は、保存を行う表示内容のデータの参照先の一つである自己携帯無線端末内の記録データが記録されている複数のフォルダの種類を判別することを特徴とする前記請求項１１記載の携帯無線端末。
【請求項１３】
前記制御手段は、複数回の開閉操作に応じた複数個の表示内容を読み出し、連続的表示を行うよう制御する前記請求項３乃至６のいずれか１つに記載の携帯無線端末。
【発明の詳細な説明】
【０００１】
【発明の属する利用分野】
本発明は折畳み型携帯無線端末において、筐体の開閉操作によって表示内容の保存、読み出しを行う機能の設定方法に関する。
【０００２】
【従来の技術】
携帯電話機は、日々多機能化しており、一口に携帯情報端末の機能といっても、本来の機能であった音声通話に加え、電子メールの送受信機能を始め、ネットワークアクセス機能を有し、Ｗｅｂコンテンツの閲覧、更に画像の撮影、閲覧及びこのデータの送受信など著しく多様化している。しかしその反面、操作は複雑化し、必要な機能にたどり着くためには、いくつものモードを使い分ける必要があるといった、操作の煩雑さ、わかりにくさがあった。
【０００３】
例えば、ネットワークにアクセスして情報を読み込む場合には、ネットワークにアクセスするモードを選択し、出てきたメニューの中から接続先を選択し、接続する。接続先がメニューに無い場合にはさらに、ここでアドレスを入力する必要がある。そうして得られた情報を保存するにも、さらにメニュー操作が必要になる等、複雑なメニュー操作が必要になってくる。
【０００４】
何より、多機能化した携帯無線端末ではラストＵＲＬやメニューの履歴以外の様々な機能、及びユーザの仕様にあわせたデータの選出や保存は困難であった。
【０００５】
特開２００１−２６８２０３には、筐体を開くときに非表示キーを押すことで人には見られたくない画面を非表示にして、工場出荷時に設定されている初期画面を表示させる手段について述べられている。
【０００６】
しかし、これは単に筐体を開く時に、予め設定されている画像を表示させるか、させないかという点のみであり、表示させたい画像の記録、その記録した画像の表示に関しては述べられていない。
【０００７】
【発明が解決しようとする課題】
上述した従来技術では折畳み型携帯無線端末で、保存した画面はメニューボタンや十字ボタン等の操作によって保存を行い、その保存した画面、データを再び参照したい場合には、データ一覧の中からカギマークなどで保存表示されているあるデータを選び閲覧を行う。Ｗｅｂの場合はラストＵＲＬの自動保存機能、またはＵＲＬアドレスを別紙に書くかブックマークとして登録作業を行うことにより、保存を行っていた。この操作は複雑であり、保存や保存画面を呼び出す機能としては活用しにくいものであった。また、多くの保存データの中でも特に、すぐに閲覧したいデータを瞬時に表示できる機能も同時に求められている。
【０００８】
この問題点を改善するために、様々な機能のデータを保存するに当たって、保存したいデータの表示内容をそのまま保存し、簡単な操作によりこの保存されたデータの形式に関係なく同じ呼び出し操作表示を行える機能を加えること、更にＷｅｂアクセスなと、その保存した時点からいつ携帯無線端末の操作を中断しても、簡単な操作で再びその時点からＷｅｂアクセスが潤滑に行えるような環境を再現することにより、移動中のわずかな細切れ時間の活用、またユーザの特に頻繁に見るデータを簡易に呼び出せるようにユーザの使用形態に合わせた仕様にできる機能が求められている。
【０００９】
また、Ｗｅｂ閲覧はたいてい移動の途中や、待ち時間など時間の合間をぬって閲覧するときが多く、当然閲覧中にやむなく閲覧を終了せざるを得ないときがある。こういった場合などに備えて、できるだけ簡素な作業でそのＨＰの画像を保存、及びその時点からＨＰの続きを見ることができる機能も求められている。
【００１０】
このように、簡素な作業でＷｅｂ内容、電子メールなどの文字データ、及び画像データなどジャンルを越えた内容を、瞬時に保存、表示される手段が求められてきた。
【００１１】
【課題を解決するための手段】
そのため本発明では、折畳み型携帯電話機が有する開閉検出機能を用い、複雑なメニュー操作を行わずに、単純な操作でデータの参照や保存を行うことを可能にしている。
【００１２】
本発明によれば、携帯無線端末を使用中、筐体の開閉操作で表示データの種類に関係なくいつでもすぐに表示内容を表示画面ごと保存する手段を提供する。
【００１３】
具体的には、本発明の折畳み型携帯無線端末は、第１の筐体及び第２の筐体がヒンジ部を介して回転可能に結合した携帯無線端末において、筐体開閉に応じて表示部における表示内容を保存し、保存された表示内容を筐体開閉に応じて読み出し表示することを特徴とする。
【００１４】
更に、筐体開閉の操作を検知し所定の機能を実行するために、本発明携帯無線端末は、筐体開閉検出器と、表示部と、前記表示部の表示内容を保存する保存手段と、筐体開閉に応じて前記表示内容を前記保存手段に保存し、保存された表示内容を読み出し、前記表示部へ表示するよう制御する制御手段を持つ。
【００１５】
本発明は、開閉検出機能をオートリード、オートセーブモードと組み合わせることにより、折畳み型携帯無線端末の開閉操作によって、その時点で表示画面の表示内容、ＨＰアドレスなどの保存及び、予めセーブされていたセーブデータを表示画面に呼び出すことを可能にした。
【００１６】
このことにより、ユーザの好みに合わせた操作性の向上を図ることができる。
【００１７】
【発明の実施の形態】
以下、本発明の実施の形態について図面を用いて詳細に述べる。
【００１８】
本発明の実施の形態の折畳み型携帯無線端末は、携帯電話機である。
【００１９】
また、図１は、本発明の一実施の形態を示すブロック図である。また　図２（ａ）は、本発明の実施の形態における折畳み型携帯電話機の閉じた状態での側面図、図２（ｂ）は同じく開いた状態での側面図、図２（ｃ）は図２（ｂ）と同じく開いた状態の正面図である。
【００２０】
本発明の実施の形態の折畳み型携帯電話機は、図２（ａ）〜（ｃ）に示すように、表示部３を有する上方の第１の筐体１０１と、入力部４を有する下方の第２の筐体１０２との二つの筐体と、アンテナ６とを含んで構成されており、第１、第２の筐体１０１、１０２は回転ヒンジ１０４で連結し、そのヒンジ中心を中心に回動可能に結合されている。
【００２１】
図１を参照すると、携帯電話機１は、アンテナ６と、ＲＦ処理部７と、ベースバンド処理部９と、電話制御部８と、スピーカ２と、マイク５と、キーボード４と、表示部３と、バッテリ１０と、メモリ１１と、ブザー１２と、開閉検出部１３と、特別メモリ１４とから構成される。
【００２２】
ＲＦ処理部７は、受信信号をＲＦ処理し、復調して受信ベースバンド信号に変換する。また、送信用ベースバンド信号を変調して送信信号に変換し送信する。
【００２３】
ベースバンド処理部９は、受信ベースバンド信号から受信データを取り出し、受信データより音声信号を生成してスピーカ２にて音声を再生する。また、ベースバンド処理部９は、マイク５から入力された音声から、送信用ベースバンド信号を生成する。
【００２４】
電話制御部８は、上述の一連の送受信処理を含む携帯電話機全体の制御を行っている。メモリ１１は、携帯電話機の動作、制御に必要なシステム、プログラム、データを記録している。
【００２５】
また、第１の筐体１０１のスピーカ２か、第２の筐体１０２の送話部であるマイク５の付近に、磁石、開閉検出部１３のうちいずれかを設ける。
【００２６】
本実施例では、受話部２付近に磁石１５、送話部５付近にその磁石を検出するためのホール端子で構成された開閉検出部１３を設けている。これにより、折畳み型携帯電話機の開閉操作を検出できる。
【００２７】
本実施例では開閉検出手段として磁気を利用しているが、その他の検出手段を用いてもよい。
【００２８】
そして、開閉検出部１３は、携帯電話機が折り畳まれた状態の時、磁石１５の磁力を検出して閉状態検出信号を発生する。開閉検出部１３は、携帯電話機が開かれている状態の時には、開状態検出信号を発生する。電話制御部８は、閉状態検出信号を受け取ると、携帯電話機が折り畳まれた状態、閉状態と認識し、開状態検出信号を受け取ると、携帯電話機が開かれている状態、開状態と認識する。
【００２９】
特別メモリ１４は、本発明の実施の形態における開閉検出による自動保存処理、開閉検出による自動読み出し処理によりデータを保存、読み出すためのメモリ１１とは別に設けられたメモリである。
【００３０】
次に、開閉検出による自動保存処理について、図３を参照して説明する。図３は、本発明の一実施例における開閉検出による自動保存処理を示したフローチャートである。オートセーブ機能とは、図３のフローチャートに示される開閉検出による電話制御部８での自動保存処理により実現される機能である。
【００３１】
すなわちオートセーブ機能の設定がＯＮでなければ全ての処理は行われない。オートセーブ機能の設定がＯＮであるかの確認を処理の最初にまず行う（Ｓ３１）。オートセーブ機能の設定は、キーボード４により、操作メニューの中で設定されるものとする。
【００３２】
次に、電話制御部８は現在の状態が、開状態であるかどうかの確認を行う（Ｓ３２）。もしＮＯ（閉状態）であれば、開状態になるまで処理は待機状態になる。開状態であれば、次に閉状態を検出したかどうかの確認を行う（Ｓ３３）。
【００３３】
もしＮＯ（開状態が継続していれば）であれば、電話制御部８はＳ３１に戻りＳ３１からＳ３３をループして、閉状態が検出されるまでの待機状態になる。閉状態が検出できた場合には、更に、予め定められた時間より短い時間（図３では１秒）で開状態を検出したかどうかの確認を行う（Ｓ３４）。
【００３４】
もしＮＯであれば、Ｓ３２に戻る。１秒以内での開状態を検出できた場合には、表示部３に確認メッセージを表示し、自動保存を実行して良いかどうかの確認を行う（Ｓ３５、Ｓ３６）。
【００３５】
確認メッセージに対する使用者のキーボードによる操作での応答がＹＥＳであれば、電話制御部８は確認メッセージを表示する直前の表示部３の表示データを特別メモリ１４に保存する（Ｓ３７）。もしＮＯであった場合、及びＳ３７を終了すると、Ｓ３１へ戻る。尚、上記の確認メッセージの表示とキーボードによる操作での応答はなくても、表示部３の表示データを特別メモリ１４に保存するようにしてもよい。
【００３６】
次に、開閉検出による自動読み出し処理について、図４を参照して説明する。図４は、本発明の一実施例における開閉検出による電話制御部８での自動読み出し処理を示したフローチャートである。
【００３７】
オートリード機能とは、図４のフローチャートに示される開閉検出による自動読み出し処理により実現される機能である。すなわちオートリード機能の設定がＯＮでなければ全ての処理は行われない。
【００３８】
オートリード機能の設定がＯＮであるかの確認を処理の最初にまず行う（Ｓ４１）。オートリード機能の設定は、キーボード４により、操作メニューの中で設定されるものとする。
【００３９】
次に、電話制御部８は現在の状態が、開状態であるかどうかの確認を行う（Ｓ４２）。もしＮＯ（閉状態）であれば、開状態になるまで処理は待機状態になる。開状態であれば、次に閉状態を検出したかどうかの確認を行う（Ｓ４３）。
【００４０】
もしＮＯ（開状態が継続していれば）であれば、Ｓ４１に戻りＳ４１からＳ４３をループして、閉状態が検出されるまでの待機状態になる。閉状態が検出できた場合には、更に、予め定められた時間より短い時間（図４では１秒）で開状態を検出したかどうかの確認を行う（Ｓ４４）。
【００４１】
もしＮＯであれば、Ｓ４２に戻る。１秒以内での開状態を検出できた場合には、特別メモリ１４に保存されているデータを先頭から表示する（Ｓ４５）。Ｓ４７終了後、Ｓ４１へ戻る。
【００４２】
以上の説明において、特別メモリ１４に、オートセーブ機能によって表示部３の表示画面の記録データが保存されるが、このデータは一定数のみ保存され、最新データが記録されると最古のデータは自動的に消去されるなどの処置が行われる。
【００４３】
図３のステップＳ３７におけるオートセーブ時のデータの保存方法としては、このデータ元が携帯電話機内のメモリからか、Ｗｅｂリンク先からダウンロードしてきたデータの場合の２通りに分かれる。
【００４４】
まず、表示部３の表示データを保存する時に、その表示データが携帯電話機内のデータか、Ｗｅｂ先のデータのいずれであるか電話制御部８のデータ種別判定部８０によって判断される。
【００４５】
携帯電話機内のデータの場合、データ源が電子メール用のメールフォルダ、写真画像フォルダ、ダウンロードした画像を保存している画像フォルダや、着メロなどの音声データフォルダかがデータ種別判定部８０により判断される。
【００４６】
そして、オートセーブ機能を行いＷｅｂ画像の画像情報をＣ−ＨＴＭＬデータとして特別メモリ１４に記録される時、このＣ−ＨＴＭＬデータには携帯電話機内のデータであることを示すフラグ、そのデータを識別するための番号、及びそのデータの保存されている前述したフォルダの場所参照先アドレスが含まれている。参照先アドレスはフォルダ毎に設定される。
【００４７】
一方、データ種別判定部８０で判断された表示データが、図５に示すようにＷｅｂリンク先からダウンロードされたデータ２０の場合には、電話制御部８は特別メモリ１４のセーブデータ一単位あたりのメモリ限度量まで表示データをＣ−ＨＴＭＬデータに変換し、特別メモリ１４に格納する。
【００４８】
また、電話制御部８は、図５に示すようにＷｅｂ画像のデータ２０の参照先ＵＲＬ（Ｗｅｂ参照先１８）を同時に表示させる手段を有する。そして、そのＷｅｂリンク先のＵＲＬのデータ（Ｗｅｂ参照先１８）も同時に記録を行う。
【００４９】
これにより、図４のオートリード機能で画像表示の際に、特別メモリ１４に保存されたＵＲＬを読み出して表示部３の表示画面の一部にＵＲＬのアドレスをリンク表示し、アクセスしやすい環境を提供する。
【００５０】
また、図５に示すように表示画像内にリンク先としてのクリックボタン１７等がある場合には、そのクリックした後にアクセスされるリンク先ＵＲＬも同時に記録される。これにより、オートリードされた表示画像にもリンク先としてのクリックボタンが表示され、これをクリックすることにより、Ｗｅｂリンクを同時に行い、スムーズなアクセス環境を提供する。
【００５１】
図４のステップＳ４５におけるオートリード機能実行時の読み出し表示方法としても、オートセーブ機能実行時と同様に電話制御部８によって、２種の表示方法が選ばれる。
【００５２】
まず、データ種別判定部８０は、読み出すデータが携帯電話機内のデータであるのか、Ｗｅｂリンク先からのデータであるかをフラグにより判断する。
【００５３】
画像など、携帯電話機内に記録されているデータの場合には、電話制御部８によって、特別メモリ１４から参照先アドレスのデータフォルダ、そのフォルダ内の読み出すべきデータの番号が判断され、このデータ内容を表示部３に表示する。
【００５４】
たとえば、作成中の電子メールの場合には、特別メモリ１４に、表示するべきデータのフォルダとして電子メールフォルダ、そのフォルダ内にある電子メールの一件ごとに振られているデータ番号が記録されており、その内容を参照にして、その記録メモリ１４の要求するデータを表示させることとなる。
【００５５】
また、もうひとつの表示形式は、Ｗｅｂ画像の場合である。この場合、前述したように表示内容そのものにＣ−ＨＴＭＬデータ変換を行うことにより特別メモリ１４のデータ制限内で記録されうる範囲の表示データ及びそのコンテンツのＵＲＬが記録される。つまり、携帯無線端末内のフォルダ内データを参照にするのではなく、特別メモリ１４に記録されたデータが直接表示される。
【００５６】
表示画面には、特別メモリ１４に制限限度内で記録されている、限られたメモリデータ分だけ表示され、これと同時にその表示内容の参照元として記録されているＵＲＬも画面の一部に表示されている。
【００５７】
表示内容のデータ量に応じて、表示画面より更に下方にスクロールしてセーブデータの限度分まで見ることができるが、記録データの設定されている容量を越えた分も見たい場合、またはその画像の中のリンク先１９にアクセスしたい場合には、図５にあるように表示された表示画面の一部に表示されているＵＲＬやリンク先クリックボタン１７にポインタを合わせ、決定ボタンを押すことにより、そのクリックボタン１７の参照先として記録されていたＵＲＬにアクセスを開始し、実際にＷｅｂからダウンロードされた画像を表示させ、そこより更に下方部分の内容、または表示画面内のリンク先１９にアクセスを行うことが可能となる。
【００５８】
オートセーブ機能は一度開閉を行うことでその表示画像が保存され、そのデータは特別メモリの一番目に記録される。その後、次のデータが記録される時、一番目のデータは２番目にずれることで、この空いた一番目のデータスペースに次のデータが記録される。
【００５９】
このようにして、ある一定以上のデータ数になると古いデータから自動的に消去されていくが、このデータ数量、自動消去等はユーザによって設定が可能とする。
【００６０】
オートリード機能では、折畳み筐体の開閉操作で、一度の開閉毎に新しいデータから一つずつ表示されていく。つまり、開閉操作を繰り返すことによってデータは新しいデータから古いデータへと順に表示画面に表示されることになる。また、このデータは最後のデータを越えるとまた先頭から始まるようにサイクリック制御してもよい。
【００６１】
また、他の実施例として、オートセーブ、オートリード機能を実行する場合を２種に分けているが、携帯無線端末内に保存されている記録データを参照する場合、携帯端末内のデータ元から参照するのではなく、Ｗｅｂ画像データなどと同じく、表示内容をそのままＣ−ＨＴＭＬデータに変換を行い、データフォルダをアドレスとして表示画面の一部に表示を行うこともできる。
【００６２】
本実施例では筐体の開閉操作を設定された順序で行うことにより、オートセーブ、オートリード機能が実行されたが、開→閉→開の順序で行うほかにも、様々な順序をユーザが設定して機能を起動させることも可能である。
【００６３】
また、筐体の開閉操作だけでなく、開いた状態でサイドボタンを押しながら閉じるとオートセーブ機能が起動され、閉じた状態でサイドボタンを押しながら開くとオートリード機能が起動される。このように、他のボタンと併用して同等の効果を出すことも可能である。
【００６４】
本発明の実施例においては、Ｗｅｂデータ等をＣ−ＨＴＭＬ言語のデータに変換を行ったが、Ｃ−ＨＴＭＬ言語以外のコンテンツ記述言語で格納してもよい。
【００６５】
携帯電話機以外の携帯無線端末でも本発明を適用できる。
【００６６】
【発明の効果】
本発明の携帯無線端末は折畳み式筐体の開閉操作により、表示画面の保存を行うことができる。この表示画面の内容は電子メール、あるいはそのメールの作成中画面、写真画像、Ｗｅｂ閲覧中の画面など種類を問わない。
【００６７】
このために作成中のメールを一次保存してすぐに呼び出す、または覚え書きのメモとして、目的地への地図表示、Ｗｅｂ中の画像やデータなどの参照として様々な方面で瞬時保存、瞬時表示が行える。
【００６８】
たとえば、携帯でメール作成や、Ｗｅｂ閲覧を行う時に、途中で中断されることとなっても、折畳み型携帯無線端末の筐体開閉操作で簡単にオートセーブ、オートリードができるために、時間を気にすることなく携帯無線端末を操作でき、また、ボタン操作など視覚を用いることなくその時点での内容が瞬時に記録されるため、相手に不快感を与えることもなく次の行動に移すことができる。
【００６９】
また、セーブデータは新しい順に保存され、開閉操作を繰り返すことにより、古いデータまで遡って連続して表示を行うことができる。また、逆の場合もある。
【００７０】
そして、Ｗｅｂ画像保存の場合には、繰り返し見る表示内容の場合にはアクセス代節約の手段して活用することができる。この場合にも更にＷｅｂのリンクをたどって閲覧したい場合には表示画面の下部などに表示されているＵＲＬからリンクすることにより、そこまでに至る経路分の省略、節約が望める。
【００７１】
本発明により、種類を問わずにユーザ好みのデータ内容を、同一の形式で保存が可能となるため、携帯無線端末の携帯性を高めたり、ユーザのニーズに応じた記録ができることになる。
【図面の簡単な説明】
【図１】本発明の実施の形態における折畳み型携帯電話機の回路系の構成のブロック図である。
【図２】本発明の実施の形態における折畳み型携帯電話機を示し、（ａ）は筐体を閉じた状態の側面図、（ｂ）は筐体を開いた状態での側面図、（ｃ）は筐体を開いた状態での正面図である。
【図３】本発明の実施の形態において開閉検出による自動保存処理のフローチャートである。
【図４】本発明の実施の形態において開閉検出による自動読み出し処理のフローチャートである。
【図５】Ｗｅｂ画像のデータを読み出し表示した時の表示内容を示す図である。
【符号の説明】
１　　　携帯無線端末本体
１０１　第１の筐体
１０２　第２の筐体
１０４　ヒンジ
２　　　スピーカ
３　　　表示部
４　　　キーボード
５　　　マイク
６　　　アンテナ
７　　　ＲＦ処理部
８　　　電話制御部
８０　　データ種別判定部
９　　　ベースバンド処理部
１０　　バッテリ
１１　　メモリ
１２　　ブザー
１３　　開閉検出部
１４　　特別メモリ
１５　　磁石
１７　　リンク先クリックボタン
１８　　Ｗｅｂ参照先
１９　　リンク先
２０　　データ
【図１】
2004064294.tif 000003
【図２】
2004064294.tif 000004
【図３】
2004064294.tif 000005
【図４】
2004064294.tif 000006
【図５】
2004064294.tif 000007